(57)【特許請求の範囲】
【請求項１】
基台と、該基台に鉛直方向に移動自在に支持される昇降架台と、該昇降架台に係合するとともに蓋部材に係合する蓋開閉用のフック部材と、前記基台と昇降架台との間に介装され前記昇降架台を常に上方向に付勢する弾性手段と、から構成されていること、
を特徴とする蓋部材の開閉治具。
【請求項２】
昇降架台には、該昇降架台に設けられた鞘管に着脱自在に嵌合し当該昇降架台の周縁部に立設される保護枠体が設けられ、該保護枠体は、マンホールの開口部の周囲に置かれる養生枠に兼用されるものであること、
を特徴とする請求項１に記載の蓋部材の開閉治具。
【請求項３】
基台には、移動用の移動手段が設けられていること、
を特徴とする請求項１または２に記載の蓋部材の開閉治具。
【発明の詳細な説明】
【０００１】
【発明の属する技術分野】
本発明は、例えば、マンホールの蓋若しくは下水道の蓋等の金属製，鋳物製若しくはコンクリート製の重量蓋部材を開口部から容易に開閉させる開閉治具に関する。
【０００２】
【従来の技術】
従来、例えば、マンホールの蓋を開閉させるには、先端部にフックを有する棒状の治具により、蓋の係止部にフックを引っかけて作業員が中腰になって引き上げている。また、この蓋が更に重ければ、２人の作業員が協力して引き上げたりしている。
【０００３】
更に、マンホールの蓋を引き上げた場合には、周囲の人に開口部が開口されていることを知らせて、該開口部からの落下を防止するために、当該開口部の周囲に、例えば、円錐状のカラーコーンを設置して、開口部の養生をする。
【０００４】
【発明が解決しようとする課題】
しかしながら、マンホールの蓋は、その重さが数十キロと重く、これを多数回、繰り返して開閉させることは、中腰作業で大変な重労働となる。また、床仕上げ完了後に、マンホールの蓋を仮置きする際に、当該床仕上げ材の表面に蓋が擦れてそこに傷が付くおそれがあるので、養生材を敷く手間が掛かる。
更に、マンホールの開口部の周囲にカラーコーンを養生材として設置する手間が掛かる等、という課題がある。本発明に係る蓋部材の開閉治具は、このような課題を解消するために提案されたものである。
【０００５】
【課題を解決するための手段】
本発明に係る蓋部材の開閉治具の上記課題を解決するための要旨は、基台と、該基台に鉛直方向に移動自在に支持される昇降架台と、該昇降架台に係合するとともに蓋部材に係合する蓋開閉用のフック部材と、前記基台と昇降架台との間に介装され前記昇降架台を常に上方向に付勢する弾性手段とから構成されていることである。
【０００６】
前記昇降架台には、該昇降架台に設けられた鞘管に着脱自在に嵌合し当該昇降架台の周縁部に立設される保護枠体が設けられ、該保護枠体は、マンホールの開口部の周囲に置かれる養生枠に兼用されるものであること、；更に、前記基台には、移動用の移動手段が設けられていることを含むものである。
【０００７】
本発明に係る蓋部材の開閉治具によれば、昇降架台に作業員が乗ることで当該昇降架台を弾性手段に抗して押し下げ、その押し下げられたエネルギーにより、作業員が前記昇降架台から降りた後に、前記弾性手段がフック部材を介して、マンホールの蓋部材を開口部から引き上げて、開口させるものである。このように、昇降架台に作業員が乗る・降りるという簡単な行為で、重いマンホール等の水平配設された蓋部材を鉛直方向で上に引き上げるものである。
【０００８】
また、保護枠体は、昇降架台における鞘管に対して着脱自在であり、マンホール等の蓋部材を開口させた後に、鞘管から取り外されて前記マンホール等の開口部の周囲に置かれることで、養生枠となるものである。更に、移動手段により、蓋部材を持ち上げて開口させた後に、この開閉治具を開口部上位置から横に移動させて、蓋部材を床仕上げ材に擦らせることなく、床仕上げ材表面へのキズ付きを防止して移動させることができる。
【０００９】
【発明の実施の形態】
次に、本発明に係る蓋部材の開閉治具について図面を参照して説明する。
本発明である蓋部材の開閉治具１の構成を説明すると、図１に示すように、基台２と、該基台２に鉛直方向に移動自在に支持される昇降架台３と、該昇降架台３に設けられた蓋開閉用のフック部材４と、前記基台２と昇降架台３との間に介装され前記昇降架台３を常に上方向に付勢する弾性手段５と、から概略構成されている。
【００１０】
更に、前記昇降架台３には、該昇降架台３に設けられた鞘管６に着脱自在に嵌合し当該昇降架台３の周囲に立設される保護枠体７が設けられている。該保護枠体７は、マンホールの開口部８の周囲に置かれる養生枠に兼用されるものである。前記基台２には、移動用の移動手段であるキャスター９が４箇所に設けられている。
【００１１】
前記各構成部材について更に詳述する。前記基台２は、図２（Ａ）に示すように、例えば、四角形状・多角形状若しくは丸形状の金属製、木製、合成樹脂製の平板体で、その大きさは、マンホールの蓋部材１０の直径よりも若干大きい寸法のものである。また、この基台２の下面に設けられたキャスター９は、前記蓋部材１０の外側の位置に配置される。
【００１２】
前記基台２の上面には支持ボス部２ｂが設けられ、その支持ボス部２ｂに、図２（Ｂ）に示すように、弾性手段であるコイルバネ５が筒体５ａに内包されて嵌装されている。該コイルバネ５は、鉛直方向において伸縮自在な弾性手段であればよいので、コイルバネに限らず、板バネ、エアー式・ガス式、等の公知の伸縮手段でもよい。
【００１３】
また、基台２の中心部には、フック部材４を下に装通させるための貫通孔２ａが２箇所に、蓋部材１０のフック（棒状引掛け部１０ａ、図４（Ａ）参照）の位置に対応させた間隔で穿設されている。
【００１４】
前記昇降架台３は、図２（Ｃ）に示すように、一例として、前記基台２とほぼ同じ大きさで、四角形状の平板体である。この昇降架台３の中心部には、前記貫通孔２ａに対応させた位置に貫通孔３ａが穿設されている。前記フック部材４を下に挿通させるためである。
【００１５】
この昇降架台３の周縁部に設けられている保護枠体７は、前記昇降架台３に４隅の各箇所に設けられた鞘管６に、図２（Ｄ）に示すように、着脱自在にしてその脚部７ａが嵌合されている。そして、当該鞘管６から前記保護枠体７を取り外して開口部８の周囲に置くことで、養生枠となる。また、この保護枠体７に作業員が出入りしやすいように、枠体上部の４辺のうち、一辺の枠材７ｂを、例えば、ヒンジ等の回転・開閉手段により開閉自在にしておくものである。
【００１６】
前記フック部材４は、金属製であり、図１と図３乃至図４に示すように、基台２の貫通孔２ａと昇降架台３の貫通孔３ａとに連通され、その下部には円弧状に曲がったフック部４ａが設けられ、棒状本体部４ｂの途中には、金属製若しくは合成樹脂製の係止部４ｃが設けられている。この係止部４ｃは、昇降架台３の貫通孔３ａに対して下に挿通しないような大きさになっていればよい。
【００１７】
また、当該係止部４ｃは、棒状本体部４ｂに所要高さ位置に固定されていても良い。即ち、この係止部４ｃの固定位置は、図３及び図４（Ａ）に示すように、床１１の表面１１ａから昇降架台３が支持ボス部２ｂの上端面に当接した状態での該昇降架台３の表面位置までの距離は、設計上において設定できるので、フック部４ａから係止部４ｃまでの長さを予め決めることができるからである。
【００１８】
また、前記係止部４ｃは、上部にボス部を設けて、該ボス部のネジ孔にボルトを横方向から螺着しネジ止めすることで、棒状本体部４ｂに位置固定される、という構造でもよい。
【００１９】
更に、係止部４ｃを棒状本体部４ｂに位置固定する他の固定方法として、図４（Ｂ）に示すように、前記棒状本体部４ｂの一部にネジ溝４ｅを所望範囲に亘って刻設し、係止部４ｃには前記ネジ溝４ｅに螺合するネジ部を設けることで、昇降架台３に対する係止位置を、昇降架台３の降下後に、当該係止部４ｃを下方向へねじ込んで移動させることで、調節できるようにすることもできる。
【００２０】
前記フック部材４の上部には、三角形状の廻し部４ｄが設けられている。これは、昇降架台３が荷重印加により下降した際に、フック部４ａを蓋部材１０の棒状引掛け部１０ａに掛けるため、この廻し部４ｄによってフック部４ａを適宜回転させるものである。
【００２１】
このようにして形成される蓋部材の開閉治具１を使用する方法について説明する。まず、本発明の蓋部材の開閉治具１を、図１に示すように、床１１のマンホールの蓋部材１０の上にキャスター９を利用して移動させる。
【００２２】
前記移動に際しては、貫通孔２ａ，３ａが、蓋部材１０の引掛け部１０ａの上位置になるように、位置合わせをする。
【００２３】
次に、保護枠体７の上部枠材の内、枠部材７ｂを開けて、一人若しくは二人の作業員が中に入り昇降架台３に乗る。すると、この作業員の重さで、コイルバネ５の付勢力に抗して前記昇降架台３が下降する。そして、昇降架台３の下面が支持ボス部２ｂの上端面に当接する。これが、図３に示す状態となる。
【００２４】
そこで、作業員は、２箇所におけるフック部材４の廻し部４ｄを、図４（Ａ）に示すように、それぞれ時計方向若しくは反時計方向に回転させて、フック部４ａを引掛け部１０ａに掛ける。このとき、係止部４ｃは、貫通孔３ａの幅よりも大きいので昇降架台３の上面に係合し、当該昇降架台３が上昇すると、フック部材４も同時に上昇する状態となる。
【００２５】
また、フック部４ａは、貫通孔３ａから貫通孔２ａへと、上から下に挿通させることができるものであればよいので、この開閉治具１に当初から備わっている必要はなく、この図３に示す、昇降架台３が下降した状態において、フック部材４を取り出して、そのフック部４ａを貫通孔２ａ，３ａに挿通させるようにしても良い。
【００２６】
その後、前記作業員が前記昇降架台３から降りる。当該作業員の荷重が昇降架台３から開放されたことで、圧縮されて縮んでいたコイルバネ５の弾発力によって、基台２に対して昇降架台３が上に押し上げられる。
【００２７】
前記昇降架台３がコイルバネ５によって持ち上げられることで、貫通孔３ａにおいて係止部４ｃが引っかかっているので、フック部材４が昇降架台３とともに上に押し上げられる。
【００２８】
それにより、図４（Ａ）に示すように、フック部４ａが引掛け部１０ａを介して、開口部８から蓋部材１０を引き上げる。床１１の表面１１ａの位置よりも、蓋部材１０の下面の位置が上になる。これにより、持ち上げられた蓋部材１０の横移動により、床１１の仕上げ材等に擦れて、傷を付けてしまうというおそれが解消される。
【００２９】
こうして、蓋部材１０が開口部８から持ち上げられて、図５に示す状態になる。この状態で、前記キャスター９により、開口部８からこの蓋部材の開閉治具１を横に移動させ待避させる。
【００３０】
その後、前記蓋部材の開閉治具１の保護枠体７を鞘管６から外して、開口させた前記開口部８の周囲に載置する。これが、当該開口部８の養生枠となって、開口部８に人等が落ちないようにされて安全性が確保される。
【００３１】
マンホール内の補修工事等が終了したなら、前記保護枠体７を再び鞘管６に嵌合させ、前記開口部８へ当該開閉治具１を移動させ、蓋開け作業とは逆手順で、作業員が昇降架台３に乗り、蓋部材１０を開口部８に閉蓋させ、フック部材４のフック部４ａを引掛け部１０ａから外す。その後、前記昇降架台３から作業員が降りることで、コイルバネ５の弾発力により昇降架台３が上昇して、図１に示す初期の状態に戻るものである。その後、該開閉治具１をキャスター９によって他のマンホールへと移動させ、蓋部材の開閉作業に使用するものである。
【００３２】
【発明の効果】
以上説明したように、本発明に係る蓋部材の開閉治具は、基台と、該基台に鉛直方向に移動自在に支持される昇降架台と、該昇降架台に係合するとともに蓋部材に係合する蓋開閉用のフック部材と、前記基台と昇降架台との間に介装され前記昇降架台を常に上方向に付勢する弾性手段とから構成されているので、作業員が昇降架台に乗り・降りするだけでマンホールの蓋部材を容易に持ち上げることができるようになり、作業員の負担を軽減させると言う優れた効果を奏するものである。
【００３３】
前記昇降架台には、該昇降架台に設けられた鞘管に着脱自在に嵌合し当該昇降架台の周縁部に立設される保護枠体が設けられ、該保護枠体は、マンホールの開口部の周囲に置かれる養生枠に兼用されるものであるので、開口部を開口させた後に、その周囲に養生枠を簡単に構築できて手間が掛からないと言う優れた効果を奏するものである。
【００３４】
前記基台には、移動用の移動手段が設けられているので、開口部から持ち上げた蓋部材を横方向に容易に移動させることが可能となるものである。
【図面の簡単な説明】
【図１】本発明に係る蓋部材の開閉治具１の構成と使用状態とを示す説明図である。
【図２】同本発明に係る蓋部材の開閉治具１の基台２を見た平面図（Ａ）、弾性手段の構成を示す一部拡大説明図（Ｂ）、蓋部材の開閉治具の平面図（Ｃ）、保護枠体７の斜視図（Ｄ）である。
【図３】同本発明に係る蓋部材の開閉治具１の昇降架台３に作業員が乗って、該昇降架台３を下降させた状態の使用状態説明図である。
【図４】同本発明に係る蓋部材の開閉治具１における、フック部材４の作用を示す説明図（Ａ）と、係止部４ｃの構成を説明する一部断面図（Ｂ）である。
【図５】同本発明に係る蓋部材の開閉治具１によって、マンホールの蓋部材１０を持ち上げた様子を示す使用状態説明図である。
【符号の説明】
１      蓋部材の開閉治具、    ２        基台、      ２ａ      貫通孔、
３      昇降架台、            ３ａ      貫通孔、
４      フック部材、          ４ａ      フック部、
４ｂ    棒状本体部、          ４ｃ      係止部、    ４ｄ      廻し部、
４ｅ    ネジ溝、              ５        弾性手段であるコイルバネ、
５ａ    筒体、                ６        鞘管、      ７      保護枠体、
７ａ    脚部、                ７ｂ      枠材、      ８        開口部、
９      キャスター、          １０      蓋部材、    １０ａ  引掛け部、
１１    床。
【図１】
0003784316.tif 000002
【図２】
0003784316.tif 000003
【図３】
0003784316.tif 000004
【図４】
0003784316.tif 000005
【図５】
0003784316.tif 000006